(57)【要約】  本発明は、レート配置方法及び装置に関し、通信技術分野に属する。前記レート配置方法は、前記ｅＬＷＡ  ＵＥにサポートされるレート能力を指示するための指示情報を生成するステップと、前記ｅＬＷＡ  ＵＥの第１のレートを指示するための前記指示情報をＬＴＥ基地局に報告し、前記第１のレートが、ＷＬＡＮアクセスポイント（ＡＰ）により前記ｅＬＷＡ  ＵＥに配置された第２のレートより大きいステップ、を含む。本発明は、第１のレートが第２のレートよりも低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証される。【選択図】図２
2019533379.tif 000002
【特許請求の範囲】
【請求項１】
ロングタームエボリューション−無線ローカルエリアネットワークのアグリゲーションエンハンスドユーザデバイス（ｅＬＷＡ  ＵＥ）に用いられるレート配置方法であって、
前記ｅＬＷＡ  ＵＥにサポートされるレート能力を指示するための指示情報を生成するステップと、
前記ｅＬＷＡ  ＵＥの第１のレートを指示するための前記指示情報をＬＴＥ基地局に報告し、前記第１のレートが、ＷＬＡＮアクセスポイント（ＡＰ）により前記ｅＬＷＡ  ＵＥに配置された第２のレートより大きいステップ、を含む
ことを特徴とするレート配置方法。
【請求項２】
前記指示情報をＬＴＥ基地局に報告するステップは、
前記指示情報を前記ｅＬＷＡ  ＵＥの能力情報に追加し、前記能力情報を前記ＬＴＥ基地局に報告するステップ、を含む
ことを特徴とする請求項１に記載のレート配置方法。
【請求項３】
前記ＷＬＡＮ  ＡＰが前記ｅＬＷＡ  ＵＥに配置した前記第２のレートを取得し、前記第２のレートを前記ＬＴＥ基地局に送信するステップ、をさらに含む
ことを特徴とする請求項１に記載のレート配置方法。
【請求項４】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信することをサポートすることを指示するためのものである
ことを特徴とする請求項１〜３のいずれか１項に記載のレート配置方法。
【請求項５】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、
前記第２のパラメータ値が前記第１のレートにおける第１の下りレートに対応し、前記第１の下りレートが前記第２のレートにおける第２の下りレートより大きい
ことを特徴とする請求項１〜３のいずれか１項に記載のレート配置方法。
【請求項６】
前記ＬＴＥ基地局から送信されたスケジューリング指示を受信し、前記スケジューリング指示に基づいて前記第１のレートにおける第１の上りレートを確定し、前記第１の上りレートで前記基地局にデータを送信するステップ、或いは、
前記ＬＴＥ基地局から前記第１のレートにおける第１の下りレートで送信されたデータを受信するステップ、をさらに含む
ことを特徴とする請求項１に記載のレート配置方法。
【請求項７】
ロングタームエボリューション（ＬＴＥ）基地局に用いられるレート配置方法であって、
ロングタームエボリューション−無線ローカルエリアネットワークのアグリゲーションエンハンスドユーザデバイス（ｅＬＷＡ  ＵＥ）から報告された、前記ｅＬＷＡ  ＵＥにサポートされるレート能力を指示するための指示情報を受信するステップと、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するステップと、を含む
ことを特徴とするレート配置方法。
【請求項８】
ロングタームエボリューション−無線ローカルエリアネットワークのアグリゲーションエンハンスドユーザデバイス（ｅＬＷＡ  ＵＥ）から報告された指示情報を受信するステップは、
前記ｅＬＷＡ  ＵＥから報告された能力情報を受信し、前記能力情報から前記指示情報を読み取るステップ、を含む
ことを特徴とする請求項７に記載のレート配置方法。
【請求項９】
前記ｅＬＷＡ  ＵＥから送信された前記第２のレートを受信するステップ、或いは、
前記ＷＬＡＮ  ＡＰから前記第２のレートを取得するステップ、をさらに含む
ことを特徴とする請求項７に記載のレート配置方法。
【請求項１０】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである
ことを特徴とする請求項７〜９のいずれか１項に記載のレート配置方法。
【請求項１１】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するものであり、
前記第２のパラメータ値が前記第１のレートにおける第１の下りレートに対応し、前記第１の下りレートが前記第２のレートにおける第２の下りレートより大きい
ことを特徴とする請求項７〜９のいずれか１項に記載のレート配置方法。
【請求項１２】
前記ｅＬＷＡ  ＵＥに前記第１のレートにおける第１の上りレートを指示するためのスケジューリング指示を送信して、前記ｅＬＷＡ  ＵＥが前記ＬＴＥ基地局に前記第１の上りレートでデータを送信するステップ、或いは、
前記ｅＬＷＡ  ＵＥに前記第１のレートにおける第１の下りレートでデータを送信するステップ、をさらに含む
ことを特徴とする請求項７に記載のレート配置方法。
【請求項１３】
ロングタームエボリューション−無線ローカルエリアネットワークのアグリゲーションエンハンスドユーザデバイス（ｅＬＷＡ  ＵＥ）に用いられるレート配置装置であって、
前記ｅＬＷＡ  ＵＥにサポートされるレート能力を指示するための指示情報を生成するように構成された生成モジュールと、
前記生成モジュールにより生成された、前記ｅＬＷＡ  ＵＥの第１のレートを指示するための前記指示情報をＬＴＥ基地局に報告し、ように構成される報告モジュールと、を備え、
前記第１のレートは、ＷＬＡＮアクセスポイント（ＡＰ）が前記ｅＬＷＡ  ＵＥに配置した第２のレートより大きい
ことを特徴とするレート配置装置。
【請求項１４】
前記報告モジュールは、さらに前記指示情報を前記ｅＬＷＡ  ＵＥの能力情報に追加し、前記能力情報を前記ＬＴＥ基地局に報告するように構成される
ことを特徴とする請求項１３に記載のレート配置装置。
【請求項１５】
前記ＷＬＡＮ  ＡＰが前記ｅＬＷＡ  ＵＥに配置した前記第２のレートを取得し、前記第２のレートを前記ＬＴＥ基地局に送信するように構成される送信モジュールと、をさらに備える
ことを特徴とする請求項１３に記載のレート配置装置。
【請求項１６】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである
ことを特徴とする請求項１３〜１５のいずれか１項に記載のレート配置装置。
【請求項１７】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、
前記第２のパラメータ値が前記第１のレートにおける第１の下りレートに対応し、前記第１の下りレートが前記第２のレートにおける第２の下りレートより大きい
ことを特徴とする請求項１３〜１５のいずれか１項に記載のレート配置装置。
【請求項１８】
前記ＬＴＥ基地局から送信されたスケジューリング指示を受信し、前記スケジューリング指示に基づいて前記第１のレートにおける第１の上りレートを確定し、前記基地局に前記第１の上りレートでデータを送信するように構成される第１の伝送モジュール、或いは、
前記ＬＴＥ基地局から前記第１のレートにおける第１の下りレートで送信されたデータを受信するように構成される第２の伝送モジュールと、をさらに備える
ことを特徴とする請求項１３に記載のレート配置装置。
【請求項１９】
ロングタームエボリューション（ＬＴＥ）基地局に用いられるレート配置装置であって、
ロングタームエボリューション−無線ローカルエリアネットワークのアグリゲーションエンハンスドユーザデバイス（ｅＬＷＡ  ＵＥ）から報告された、前記ｅＬＷＡ  ＵＥにサポートされるレート能力を指示するための指示情報を受信するように構成される第１の受信モジュールと、
前記第１の受信モジュールから受信された前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される配置モジュールと、を備える
ことを特徴とするレート配置装置。
【請求項２０】
前記第１の受信モジュールは、さらに前記ｅＬＷＡ  ＵＥから報告された能力情報を受信し、前記能力情報から前記指示情報を読み取るように構成される
ことを特徴とする請求項１９に記載のレート配置装置。
【請求項２１】
前記ｅＬＷＡ  ＵＥから送信された前記第２のレートを受信するように構成される第２の受信モジュール、或いは、
前記ＷＬＡＮ  ＡＰから前記第２のレートを取得するように構成される取得モジュール、をさらに備える
ことを特徴とする請求項１９に記載のレート配置装置。
【請求項２２】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである
ことを特徴とする請求項１９〜２１のいずれか１項に記載のレート配置装置。
【請求項２３】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、
前記第２のパラメータ値が前記第１のレートにおける第１の下りレートに対応し、前記第１の下りレートが前記第２のレートにおける第２の下りレートより大きい
ことを特徴とする請求項１９〜２１のいずれか１項に記載のレート配置装置。
【請求項２４】
前記ｅＬＷＡ  ＵＥに前記第１のレートにおける第１の上りレートを指示するためのスケジューリング指示を送信して、前記ｅＬＷＡ  ＵＥが前記ＬＴＥ基地局に前記第１の上りレートでデータを送信するように構成される第１の送信モジュールと、又は、
前記ｅＬＷＡ  ＵＥに前記第１のレートにおける第１の下りレートでデータを送信するように構成される第２の送信モジュールと、をさらに備える
ことを特徴とする請求項１９に記載のレート配置装置。
【請求項２５】
ロングタームエボリューション−無線ローカルエリアネットワークのアグリゲーションエンハンスドユーザデバイス（ｅＬＷＡ  ＵＥ）に用いられるレート配置装置であって、
プロセッサーと、
前記プロセッサーにより実行可能な命令を記憶するためのメモリと、を備え、
前記プロセッサーは、
前記ｅＬＷＡ  ＵＥにサポートされるレート能力を指示するための指示情報を生成し、
前記ｅＬＷＡ  ＵＥの第１のレートを指示するための前記指示情報をＬＴＥ基地局に報告し、前記第１のレートがＷＬＡＮアクセスポイント（ＡＰ）により前記ｅＬＷＡ  ＵＥに配置された第２のレートより大きいように構成される
ことを特徴とするレート配置装置。
【請求項２６】
ロングタームエボリューション（ＬＴＥ）基地局に用いられる装置であって、
プロセッサーと、
前記プロセッサーにより実行可能な命令を記憶するためのメモリと、を備え、
前記プロセッサーは、
ロングタームエボリューション−無線ローカルエリアネットワークのアグリゲーションエンハンスドユーザデバイス（ｅＬＷＡ  ＵＥ）から報告された、前記ｅＬＷＡ  ＵＥにサポートされるレート能力を指示するための指示情報を受信し、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される
ことを特徴とするレート配置装置。
【発明の詳細な説明】
【技術分野】
【０００１】
本発明は、通信技術分野に関し、特にレート配置方法及びその装置に関する。
【背景技術】
【０００２】
無線通信技術の発展に伴い、ますます高まる無線のニーズと高価で有限であるライセンス周波数スペクトルとの間の矛盾がますます顕著になってくる。オペレーターは、ライセンス周波数スペクトルの負担を緩和するために、非ライセンス周波数スペクトルにＷＬＡＮ（Ｗｉｒｅｌｅｓｓ  Ｌｏｃａｌ  Ａｒｅａ  Ｎｅｔｗｏｒｋ、無線ローカルエリアネットワーク）を配置することによって、ＬＴＥの負担が軽減されるようにＬＴＥ（Ｌｏｎｇ−Ｔｅｒｍ  Ｅｖｏｌｕｔｉｏｎ、ロングタームエボリューション）のサービスをオフロードさせる。
【０００３】
現在、オペレーターのＬＴＥ及びＷＬＡＮは、独自に運営されている二つのネットワークであり、そして、ＷＬＡＮが低い利用率の状態になることがよくある。従って、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ、第３世代パートナーシップ・プロジェクト）は、ｅＬＷＡ（ｅｎｈａｎｃｅｄ  ＬＴＥ−ＷＬＡＮ  Ａｇｇｒｅｇａｔｉｏｎ、ＬＴＥ−ＷＬＡＮアグリゲーションエンハンスド）プロジェクトにおいて、いかにＬＴＥとＷＬＡＮを無線側で高度に融合させることを既に研究したことで、両方の動的負荷バランスの目的に達するようにさせた。つまり、コアネットワークからのすべてのデータがいずれも先にＬＴＥｅＮＢ（ＥｖｏｌｖｅｄＮｏｄｅ  Ｂ、進化型基地局）に伝送され、ＬＴＥ  ｅＮＢは、一連の測定結果及びプリセットなどに基づいて、どのデータがＬＴＥ  ｅＮＢを介してｅＬＷＡ  ＵＥに伝送されるか、どのデータがＷＬＡＮ  ＡＰ（Ａｃｃｅｓｓ  Ｐｏｉｎｔ、アクセスポイント  ）を介してｅＬＷＡ  ＵＥに伝送されるかを確定する。
【発明の概要】
【発明が解決しようとする課題】
【０００４】
本発明は、従来技術における問題を解決するために、レート配置方法及びその装置を提供する。
【課題を解決するための手段】
【０００５】
本発明の実施例の第１の態様によると、ロングタームエボリューション（ＬＴＥ）-無線ローカルエリアネットワーク（ＷＬＡＮ）のアグリゲーションエンハンスド（ｅＬＷＡ）ユーザデバイス（ＵＥ）に用いられるレート配置方法を提供し、前記方法は、
前記ｅＬＷＡ  ＵＥにサポートされるレート能力を指示するための指示情報を生成するステップと、
前記指示情報をＬＴＥ基地局に報告し、前記指示情報は、前記ｅＬＷＡ  ＵＥの第１のレートを指示するためのものであり、前記第１のレートが、ＷＬＡＮアクセスポイント（ＡＰ）により前記ｅＬＷＡ  ＵＥに配置された第２のレートより大きいステップ、を含む。
選択的に、前記指示情報をＬＴＥ基地局に報告するステップは、
前記指示情報を前記ｅＬＷＡ  ＵＥの能力情報に追加し、前記能力情報を前記ＬＴＥ基地局に報告するステップ、を含む。
【０００６】
選択的に、前記方法は、
前記ＷＬＡＮ  ＡＰが前記ｅＬＷＡ  ＵＥに配置した前記第２のレートを取得し、前記第２のレートを前記ＬＴＥ基地局に送信するステップ、をさらに含む。
【０００７】
選択的に、前記指示情報は、ｅｌｗａ−Ｐａｒａｍｅｔｅｒｓパラメータであり、前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである。
【０００８】
選択的に、前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、前記第１のパラメータ値が前記第１のレートにおける第１の上りレートに対応し、前記第１の上りレートが前記第２のレートにおける第２の上りレートより大きく；或いは、
ｕｅ−ＣａｔｅｇｏｒｙＤＬパラメータ及び前記ｕｅ−ＣａｔｅｇｏｒｙＤＬパラメータの第２のパラメータ値を含み、前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、前記第２のパラメータ値が前記第１のレートにおける第１の下りレートに対応し、前記第１の下りレートが前記第２のレートにおける第２の下りレートより大きい。
【０００９】
選択的に、前記方法は、
前記ＬＴＥ基地局から送信されたスケジューリング指示を受信し、前記スケジューリング指示に基づいて前記第１のレートにおける第１の上りレートを確定し、前記基地局に前記第１の上りレートでデータを送信するステップと、或いは、
前記ＬＴＥ基地局から前記第１のレートにおける第１の下りレートで送信されたデータを受信するステップ、をさらに含む。
【００１０】
本発明の実施例の第２の態様によると、ロングタームエボリューション（ＬＴＥ）基地局に用いられるレート配置方法を提供し、前記方法は、
ＬＴＥ−無線ローカルエリアネットワーク（ＷＬＡＮ）のアグリゲーションエンハンスド（ｅＬＷＡ）ユーザデバイス（ＵＥ）から報告された指示情報を受信し、前記指示情報は、前記ｅＬＷＡ  ＵＥにサポートされるレート能力を指示するためのものであるステップと、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するステップ、を含む。
【００１１】
選択的に、前記ＬＴＥ−無線ローカルエリアネットワーク（ＷＬＡＮ）のアグリゲーションエンハンスド（ｅＬＷＡ）ユーザデバイス（ＵＥ）から報告された指示情報を受信するステップは、
前記ｅＬＷＡ  ＵＥから報告された能力情報を受信し、前記能力情報から前記指示情報を読み取るステップ、を含む。
【００１２】
選択的に、前記方法は、
前記ｅＬＷＡ  ＵＥから送信された前記第２のレートを受信するステップ、或いは、
前記ＷＬＡＮ  ＡＰから前記第２のレートを取得するステップ、をさらに含む。
【００１３】
選択的に、前記指示情報は、ｅｌｗａ−Ｐａｒａｍｅｔｅｒｓパラメータであり、前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである。
【００１４】
選択的に、前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、前記第１のパラメータ値が前記第１のレートにおける第１の上りレートに対応し、前記第１の上りレートが前記第２のレートにおける第２の上りレートより大きく；或いは、
ｕｅ−ＣａｔｅｇｏｒｙＤＬパラメータ及び前記ｕｅ−ＣａｔｅｇｏｒｙＤＬパラメータの第２のパラメータ値を含み、前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、前記第２のパラメータ値が前記第１のレートにおける第１の下りレートに対応し、前記第１の下りレートが前記第２のレートにおける第２の下りレートより大きい。
【００１５】
選択的に、前記方法は、
前記ｅＬＷＡ  ＵＥに前記第１のレートにおける第１の上りレートを指示するためのスケジューリング指示を送信して、前記ｅＬＷＡ  ＵＥが前記ＬＴＥ基地局に前記第１の上りレートでデータを送信するステップ、或いは、
前記ｅＬＷＡ  ＵＥに前記第１のレートにおける第１の下りレートでデータを送信するステップ、をさらに含む。
【００１６】
本発明の実施例の第３の態様によると、ロングタームエボリューション（ＬＴＥ）−無線ローカルエリアネットワーク（ＷＬＡＮ）のアグリゲーションエンハンスド（ｅＬＷＡ）ユーザデバイス（ＵＥ）に用いられるレート配置装置を提供し、前記装置は、
前記ｅＬＷＡ  ＵＥにサポートされるレート能力を指示するための指示情報を生成するように構成される生成モジュールと、
前記生成モジュールにより生成された、前記ｅＬＷＡ  ＵＥの第１のレートを指示するための前記指示情報をＬＴＥ基地局に報告するように構成される報告モジュールと、を備え、前記第１のレートは、ＷＬＡＮアクセスポイント（ＡＰ）が前記ｅＬＷＡ  ＵＥに配置した第２のレートより大きい。
【００１７】
選択的に、前記報告モジュールは、さらに前記指示情報を前記ｅＬＷＡ  ＵＥの能力情報に追加し、当該能力情報を前記ＬＴＥ基地局に報告するように構成される。
【００１８】
選択的に、前記装置は、
前記ＷＬＡＮ  ＡＰが前記ｅＬＷＡ  ＵＥに配置した前記第２のレートを取得し、前記第２のレートを前記ＬＴＥ基地局に送信するように構成される送信モジュール、をさらに備える。
選択的に、前記指示情報は、ｅｌｗａ−Ｐａｒａｍｅｔｅｒｓパラメータであり、前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである。
【００１９】
選択的に、前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、前記第１のパラメータ値が前記第１のレートにおける第１の上りレートに対応し、前記第１の上りレートが前記第２のレートにおける第２の上りレートより大きく；或いは、
ｕｅ−ＣａｔｅｇｏｒｙＤＬパラメータ及び前記ｕｅ−ＣａｔｅｇｏｒｙＤＬパラメータの第２のパラメータ値を含み、前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されるデータを同時に受信するようにサポートすることを指示するためのものであり、前記第２のパラメータ値が前記第１のレートにおける第１の下りレートに対応し、前記第１の下りレートが前記第２のレートにおける第２の下りレートより大きい。
【００２０】
選択的に、前記装置は、
前記ＬＴＥ基地局から送信されたスケジューリング指示を受信し、前記スケジューリング指示に基づいて前記第１のレートにおける第１の上りレートを確定し、前記第１の上りレートで前記基地局にデータを送信するように構成される第１の伝送モジュールと、或いは、
前記ＬＴＥ基地局から前記第１のレートにおける第１の下りレートで送信されるデータを受信するように構成される第２の伝送モジュールと、をさらに備える。
【００２１】
本発明の実施例の第４の態様によると、ロングタームエボリューション（ＬＴＥ）基地局に用いられるレート配置装置を提供し、前記装置は、
ＬＴＥ−無線ローカルエリアネットワーク（ＷＬＡＮ）のアグリゲーションエンハンスド（ｅＬＷＡ）ユーザデバイス（ＵＥ）から報告された、前記ｅＬＷＡ  ＵＥにサポートされるレート能力を指示するための指示情報を受信するように構成される第１の受信モジュールと、
前記第１の受信モジュールから受信された前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される配置モジュールと、を備える。
【００２２】
選択的に、前記第１の受信モジュールは、さらに前記ｅＬＷＡ  ＵＥから報告された能力情報を受信し、前記能力情報から前記指示情報を読み取るように構成される。
【００２３】
選択的に、前記装置は、
前記ｅＬＷＡ  ＵＥから送信された前記第２のレートを受信するように構成される第２の受信モジュールと、或いは、
前記ＷＬＡＮ  ＡＰから前記第２のレートを取得するように構成される取得モジュールと、をさらに備える。
【００２４】
選択的に、前記指示情報は、ｅｌｗａ−Ｐａｒａｍｅｔｅｒｓパラメータであり、前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである。
【００２５】
選択的に、前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、前記第１のパラメータ値が前記第１のレートにおける第１の上りレートに対応し、前記第１の上りレートが前記第２のレートにおける第２の上りレートより大きく；或いは、
ｕｅ−ＣａｔｅｇｏｒｙＤＬパラメータ及び前記ｕｅ−ＣａｔｅｇｏｒｙＤＬパラメータの第２のパラメータ値を含み、前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するために用いられ、前記第２のパラメータ値が前記第１のレートにおける第１の下りレートに対応し、前記第１の下りレートが前記第２のレートにおける第２の下りレートより大きい。
【００２６】
選択的に、前記装置は、
前記ｅＬＷＡ  ＵＥに前記第１のレートにおける第１の上りレートを指示するためのスケジューリング指示を送信し、前記ｅＬＷＡ  ＵＥが前記ＬＴＥ基地局に前記第１の上りレートでデータを送信するように構成される第１の送信モジュールと、或いは、
前記ｅＬＷＡ  ＵＥに前記第１のレートにおける第１の下りレートでデータを送信するように構成される第２の送信モジュールと、をさらに備える。
【００２７】
本発明の実施例の第５の態様によると、ロングタームエボリューション（ＬＴＥ）−無線ローカルエリアネットワーク（ＷＬＡＮ）のアグリゲーションエンハンスド（ｅＬＷＡ）ユーザデバイス（ＵＥ）に用いられるレート配置装置を提供し、前記装置は、
プロセッサーと、
前記プロセッサーにより実行可能な命令を記憶するためのメモリと、を備え、
前記プロセッサーは、
前記ｅＬＷＡ  ＵＥにサポートされるレート能力を指示するための指示情報を生成し、
前記ｅＬＷＡ  ＵＥの第１のレートを指示するための前記指示情報をＬＴＥ基地局に報告するように構成され、前記第１のレートは、ＷＬＡＮアクセスポイント（ＡＰ）が前記ｅＬＷＡ  ＵＥに配置した第２のレートより大きい。
【００２８】
本発明の実施例の第６の態様によると、ロングタームエボリューション（ＬＴＥ）基地局に用いられるレート配置装置を提供し、前記装置は、
プロセッサーと、
前記プロセッサーにより実行可能な命令を記憶するためのメモリと、を備え、
前記プロセッサーは、
ＬＴＥ−無線ローカルエリアネットワーク（ＷＬＡＮ）のアグリゲーションエンハンスド（ｅＬＷＡ）ユーザデバイス（ＵＥ）から報告された、前記ｅＬＷＡ  ＵＥにサポートされるレート能力を指示するための指示情報を受信し、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される。
【発明の効果】
【００２９】
本発明の実施例に提供される技術案によれば、以下のような効果を奏することができる。
【００３０】
ｅＬＷＡ  ＵＥは、ｅＬＷＡ  ＵＥにサポートされるレート能力を指示するための指示情報を生成し、指示情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。これにより、第１のレートが第２のレートよりも低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証される。
【００３１】
ｅＬＷＡ  ＵＥがＬＴＥ基地局に第２のレートを送信可能となり、又は、ＬＴＥ基地局がＷＬＡＮ  ＡＰから第２のレートを取得可能となるので、第２のレートの取得方法を拡張させた。
【００３２】
前述の一般的な説明及び後述する詳細な説明は、単に例示的なものであり、本発明がこれに制限されるものでないことを理解されるべきである。
【図面の簡単な説明】
【００３３】
ここでの図面は、明細書に組み入れて本明細書の一部分を構成し、本発明に適した実施例を例示し、そして明細書とともに本発明の原理を解釈するために用いられる。
【図１】各実施例に関するレート配置システムのブロック図である。
【図２】一例示的な実施例に係るレート配置方法を示すフローチャートである。
【図３】他の例示的な実施例に係るレート配置方法を示すフローチャートである。
【図４】一例示的な実施例に係るレート配置装置を示すブロック図である。
【図５】一例示的な実施例に係るレート配置装置を示すブロック図である。
【図６】一例示的な実施例に係るレート配置装置を示すブロック図である。
【図７】一例示的な実施例に係るレート配置装置を示すブロック図である。
【図８】一例示的な実施例に係るレート配置のための装置を示すブロック図である。
【発明を実施するための形態】
【００３４】
以下、例示的な実施例を詳しく説明し、その例示を図面に示す。以下の説明が図面に関する場合、別途にて示さない限り、異なる図面における同一符号は、同じ又は類似する要素を示す。以下の例示的な実施例に説明される実施形態は、本発明と一致する全ての実施形態を示すとは限らない。逆に、これらは、添付の特許請求の範囲に記載されているように、本発明の一部の側面に一致する装置及び方法の例に過ぎない。
【００３５】
図１を参照すると、それは本発明の各実施例に関するレート配置システムのブロック図を示し、当該レート配置システムは、ＬＴＥ基地局１１０、ＷＬＡＮ  ＡＰ１２０及びｅＬＷＡ  ＵＥ１３０を含む。ｅＬＷＡ  ＵＥ１３０は、ＷＬＡＮ  ＡＰ１２０とＬＴＥ基地局１１０とのそれぞれに接続され、ＷＬＡＮ  ＡＰ１２０とＬＴＥ基地局１１０は接続される。
【００３６】
ｅＬＷＡ  ＵＥ１３０は、ｅＬＷＡプロジェクトをサポートするＵＥを指す。
【００３７】
ＬＴＥ基地局１１０は、ｅＬＷＡ  ＵＥ１３０に送信する必要があるデータをコアネットワークから受信し、一連の測定結果及びプリセットなどに基づいて、どのデータがＬＴＥ基地局１１０を介してｅＬＷＡ  ＵＥ１３０に伝送されるか、どのデータがＷＬＡＮ  ＡＰ１２０を介してｅＬＷＡ  ＵＥ１３０に伝送されるかを確定する。従って、ＬＴＥ基地局１１０によりｅＬＷＡ  ＵＥ１３０に配置された第１のレートが、ＷＬＡＮ  ＡＰ１２０によりｅＬＷＡ  ＵＥ１３０に配置された第２のレートより大きくなければならない。このようにして、ＬＴＥ基地局１１０は、ＷＬＡＮ  ＡＰ１２０がｅＬＷＡ  ＵＥ１３０に第２のレートでデータを送信することができるように、ＷＬＡＮ  ＡＰ１２０に第２のレートでデータを送信することができる。そして、ＬＴＥ基地局１１０がｅＬＷＡ  ＵＥ１３０に第１のレートから第２のレートを引いた後の第３のレートで残りのデータを送信することによって、ｅＬＷＡ  ＵＥ１３０がＬＴＥ基地局１１０とＷＬＡＮ  ＡＰ１２０とに同時に通信することができることが保証される。
【００３８】
図２は、一例示的な実施例に係るレート配置方法を示すフローチャートである。当該レート配置方法は、レート配置システムに応用されるものであり、図２に示すように、以下のステップを含む。
【００３９】
ステップＳ２０１において、ｅＬＷＡ  ＵＥは、ｅＬＷＡ  ＵＥにサポートされるレート能力を指示するための指示情報を生成する。
【００４０】
ステップＳ２０２において、ｅＬＷＡ  ＵＥは、指示情報をＬＴＥ基地局に報告する。
【００４１】
ステップＳ２０３において、ＬＴＥ基地局は、ｅＬＷＡ  ＵＥから報告された指示情報を受信する。
【００４２】
ステップＳ２０４において、ＬＴＥ基地局は、指示情報に基づいて、ｅＬＷＡ  ＵＥにＷＬＡＮ  ＡＰによりｅＬＷＡ  ＵＥに配置された第２のレートより大きい第１のレートを配置する。
【００４３】
ここで、ステップ２０１及びステップ２０２は、ｅＬＷＡ  ＵＥ側の実施例として単独に実現されてもよく、ステップ２０３及びステップ２０４は、ＬＴＥ基地局側の実施例として単独に実現されてもよい。
【００４４】
上記のように、本発明に係るレート配置方法によれば、ｅＬＷＡ  ＵＥは、ｅＬＷＡ  ＵＥにサポートされるレート能力を指示するための指示情報を生成し、指示情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。第１のレートが第２のレートより低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証された。
【００４５】
図３は、他の例示的な実施例に係るレート配置方法を示すフローチャートである。当該レート配置方法は、レート配置システムに応用されるものであり、図３に示すように、以下のステップを含む。
【００４６】
ステップ３０１において、ｅＬＷＡ  ＵＥは、ｅＬＷＡ  ＵＥにサポートされるレート能力を指示するための指示情報を生成する。
【００４７】
通常、ＷＬＡＮ  ＡＰがｅＬＷＡ  ＵＥに配置したレートが高く、普段数Ｇｂｐｓに達することができるが、ＬＴＥ基地局がｅＬＷＡ  ＵＥに配置したレートが低く、数百ｂｐｓにしか達されない。ｅＬＷＡ  ＵＥに送られたすべてのデータがＬＴＥ基地局を介してスケジューリングされ、即ち、ＬＴＥ基地局は、どのデータがＬＴＥ基地局を介してｅＬＷＡ  ＵＥに伝送されるか、どのデータがＷＬＡＮ  ＡＰを介してｅＬＷＡ  ＵＥに伝送されるかを確定する。従って、ＬＴＥ基地局とＷＬＡＮ  ＡＰはデータをｅＬＷＡ  ＵＥに同時に送信するレートの合計は、ＬＴＥ基地局によりｅＬＷＡ  ＵＥに配置された数百ｂｐｓのレートであり、ｅＬＷＡプロジェクトの高レートの要求に達することができないので、ＬＴＥ基地局によりｅＬＷＡ  ＵＥに配置されたレートを高める必要がある。
【００４８】
ＬＴＥ基地局は、どのＵＥがｅＬＷＡ  ＵＥであるか、どのＵＥがｅＬＷＡ  ＵＥではないかを知らないので、ｅＬＷＡ  ＵＥは、ＬＴＥ基地局によりｅＬＷＡ  ＵＥに配置されたレートを高めるように、自身にサポートされるレート能力を指示するための指示情報をＬＴＥ基地局に報告する必要がある。
【００４９】
本実施例は、二つの指示情報の実現方法を提供する。以下、このような二つの実現方法のそれぞれについて説明する。
【００５０】
第１の実現方法において、指示情報は、ｅｌｗａ−Ｐａｒａｍｅｔｅｒｓパラメータである。ｅｌｗａ−Ｐａｒａｍｅｔｅｒｓパラメータは、ｅＬＷＡ  ＵＥがＬＴＥ基地局とＷＬＡＮ  ＡＰとに同時に通信するようにサポートすることを指示するためのものである。即ち、ＵＥがＬＴＥ基地局にｅｌｗａ−Ｐａｒａｍｅｔｅｒｓパラメータを送信する場合、ＵＥがｅＬＷＡ  ＵＥであることを指示し、ＬＴＥ基地局とＷＬＡＮ  ＡＰとに同時に通信するようにサポートし、即ち、高レートをサポートする。ＵＥがＬＴＥ基地局にｅｌｗａ−Ｐａｒａｍｅｔｅｒｓパラメータを送信しない場合、ＵＥがｅＬＷＡ  ＵＥではないことを指示し、ＬＴＥ基地局とＷＬＡＮ  ＡＰとに同時に通信することに対してサポートしなく、即ち、高レートをサポートしない。
【００５１】
選択的に、実際に実現する際、ｅｌｗａ−Ｐａｒａｍｅｔｅｒｓパラメータの名前も変更することができる。例えば、ｅｌｗａ−Ｐａｒａｍｅｔｅｒｓパラメータの名前にプロトコルバージョン番号が追加することができる。プロトコルバージョン番号がｖ１４ｘｙであると仮定すると、ｅｌｗａ−Ｐａｒａｍｅｔｅｒｓパラメータはｅｌｗａ−Ｐａｒａｍｅｔｅｒｓ−ｖ１４ｘｙパラメータであっでもよく、或いは、ｅｌｗａ−Ｐａｒａｍｅｔｅｒｓパラメータの名前を他の名前に変更することができるが、本実施例ではパラメータの名前に対して特に限定しない。
【００５２】
このような実現方法において、指示情報は、ｅＬＷＡ  ＵＥにサポートされるレート能力のみを指示するためのものであってもよく、ＬＴＥ基地局がｅＬＷＡ  ＵＥに配置した第１のレートの大きさを指示するためのものではなくてもよい。即ち、ＬＴＥ基地局によりすべてのｅＬＷＡ  ＵＥに配置されたレートは、デフォルトの同じ第１のレートである。本実施例において、ＬＴＥ基地局がｅＬＷＡ  ＵＥに配置したレートを第１のレートと称する。
【００５３】
第１のレートは、第１の上りレートと第１の下りレートとを含み、第１の上りレートと第１の下りレートが異なるので、第１のレートがデフォルトのレートである場合、第１の上りレートと第１の下りレートはいずれもデフォルトのレートである。
【００５４】
第２の実現方法において、指示情報は、ｕｅ−ＣａｔｅｇｏｒｙＵＬパラメータ及びｕｅ−ＣａｔｅｇｏｒｙＵＬパラメータの第１のパラメータ値を含む。ｕｅ−ＣａｔｅｇｏｒｙＵＬパラメータは、ｅＬＷＡ  ＵＥがＬＴＥ基地局とＷＬＡＮ  ＡＰとにデータを同時に送信するようにサポートすることを指示するためのものである。第１のパラメータ値が第１のレートにおける第１の上りレートに対応し、第１の上りレートが第２のレートにおける第２の上りレートより大きい。或いは、指示情報は、ｕｅ−ＣａｔｅｇｏｒｙＤＬパラメータ及びｕｅ−ＣａｔｅｇｏｒｙＤＬパラメータの第２のパラメータ値を含む。ｕｅ−ＣａｔｅｇｏｒｙＤＬパラメータは、ｅＬＷＡ  ＵＥがＬＴＥ基地局とＷＬＡＮ  ＡＰとから送信されたデータを同時に受信するようにサポートすることを指示するためのものである。第２のパラメータ値が第１のレートにおける第１の下りレートに対応し、第１の下りレートが第２のレートにおける第２の下りレートより大きい。
【００５５】
このような実現方法において、指示情報は、ＬＴＥ基地局によりｅＬＷＡ  ＵＥ配置された第１のレートの大きさを指示するためのものである。即ち、ＬＴＥ基地局は、パラメータ値に基づいて、異なるｅＬＷＡ  ＵＥに異なる第１のレートを配置する必要がある。
【００５６】
第１のレートは、第１の上りレートと第１の下りレートとを含み、第１の上りレートと第１の下りレートが異なるので、ｅＬＷＡ  ＵＥは、それぞれ第１のパラメータ値により第１の上りレートを指示し、第２のパラメータ値により第１の下りレートを指示する必要がある。ここで、第１のパラメータ値と第２のパラメータ値が異なる。
【００５７】
選択的に、実際に実現する際、ｕｅ−ＣａｔｅｇｏｒｙＵＬパラメータの名前も変更することができる。例えば、ｕｅ−ＣａｔｅｇｏｒｙＵＬパラメータの名前にプロトコルバージョン番号を追加することができる。プロトコルバージョン番号がｖ１４ｘｙであると仮定すると、ｕｅ−ＣａｔｅｇｏｒｙＵＬパラメータはｕｅ−ＣａｔｅｇｏｒｙＵＬ−ｖ１４ｘｙパラメータであっでもよく、或いは、ｕｅ−ＣａｔｅｇｏｒｙＵＬパラメータの名前を他の名前に変更することができるが、本実施例ではパラメータの名前に対して特に限定しない。同様に、ｕｅ−ＣａｔｅｇｏｒｙＤＬパラメータもｕｅ−ＣａｔｅｇｏｒｙＤＬ−ｖ１４ｘｙパラメータに変更することができたり、ｕｅ−ＣａｔｅｇｏｒｙＤＬパラメータの名前を他の名前に変更したりすることができるが、本実施例ではパラメータの名前に対して特に限定しない。
【００５８】
ステップ３０２において、ｅＬＷＡ  ＵＥは、指示情報をｅＬＷＡ  ＵＥの能力情報に追加し、当該能力情報をＬＴＥ基地局に報告する。
【００５９】
能力情報は、ｅＬＷＡ  ＵＥにサポートされるすべての能力をＬＴＥ基地局に報告するためのものである。指示情報が少なくともｅＬＷＡ  ＵＥにサポートされたレート能力を指示するために用いられるので、ｅＬＷＡ  ＵＥは、指示情報を能力情報に追加し、当該能力情報をＬＴＥ基地局に報告することができる。
【００６０】
能力情報がＵＥ−ＥＵＴＲＡ−Ｃａｐａｂｉｌｉｔｙ  ＩＥであり、プロトコルバージョン番号がｖ１４ｘｙであり、さらに、能力情報にはｌａａ−Ｐａｒａｍｅｔｅｒｓ−ｖ１４ｘｙパラメータ及びｎｏｎＣｒｉｔｉｃａｌＥｘｔｅｎｓｉｏｎパラメータがさらに含まれていると仮定すると、第１の実現方法の能力情報は、以下のように示される。
UE-EUTRA-Capability-v14xy-IEs::=SEQUENCE{
laa-Parameters-v14xy  LAA-Parameters-v14xy  OPTIONAL,
elwa-Parameters-v14xy  ELWA-Parameters-v14xy  OPTIONAL,
nonCriticalExtension  SEQUENCE{}              OPTIONAL
｝
【００６１】
第２の実現方法の一つの可能な実現形態において、第１のパラメータ値及び第２のパラメータ値がいずれも整数であると、第１のパラメータ値をＩＮＴＥＧＥＲ（ｘ．．ｙ）に定義することができ、第２のパラメータ値もＩＮＴＥＧＥＲ（ｘ．．ｙ）に定義することができ、第１のパラメータ値と第２のパラメータ値が異なる。この時、第２の実現方法の能力情報は以下のように示される。
UE-EUTRA-Capability-v14xy-IEs::=SEQUENCE{
ue-CategoryDL-v14xy  INTEGER(x..y)    OPTIONAL,
ue-CategoryUL-v14xy  INTEGER(x..y)    OPTIONAL, 
laa-Parameters-v14xy  LAA-Parameters-v14xy    OPTIONAL,
nonCriticalExtension  SEQUENCE{}      OPTIONAL
}
【００６２】
ｕｅ−ＣａｔｅｇｏｒｙＤＬ−ｖ１４ｘｙパラメータ及びｕｅ−ＣａｔｅｇｏｒｙＵＬ−ｖ１４ｘｙパラメータの属性は、いずれもＯＰＴＩＯＮＡＬ（選択可能）であるので、能力情報には、ｕｅ−ＣａｔｅｇｏｒｙＤＬ−ｖ１４ｘｙパラメータのみが含まれることができ、ｕｅ−ＣａｔｅｇｏｒｙＵＬ−ｖ１４ｘｙパラメータのみも含まれることができ、ｕｅ−ＣａｔｅｇｏｒｙＤＬ−ｖ１４ｘｙパラメータ及びｕｅ−ＣａｔｅｇｏｒｙＵＬ−ｖ１４ｘｙパラメータが同時に含まれてもよい。
【００６３】
なお、本実施例において、能力情報がｌａａ−Ｐａｒａｍｅｔｅｒｓ−ｖ１４ｘｙパラメータおよびｎｏｎＣｒｉｔｉｃａｌＥｘｔｅｎｓｉｏｎパラメータを含むことのみを例として説明したが、実際に実現する際、能力情報には、これらの情報が含まれなくてもよく、或いは、能力情報には、他の情報も含まれてもよいが、本実施例ではこれに対して限定しない。
【００６４】
ステップ３０３において、ＬＴＥ基地局は、ｅＬＷＡ  ＵＥから報告された能力情報を受信し、当該能力情報から指示情報を読み取る。
【００６５】
ステップ３０４において、ＬＴＥ基地局は、指示情報に基づいて、ｅＬＷＡ  ＵＥにＷＬＡＮ  ＡＰがｅＬＷＡ  ＵＥに配置した第２のレートより大きい第１のレートを配置する。
【００６６】
ＬＴＥ基地局は、ｅＬＷＡ  ＵＥに第１のレートを配置することに先立って、ＷＬＡＮ  ＡＰがｅＬＷＡ  ＵＥに配置した第２のレートを取得する必要もある。本実施例では、ＬＴＥ基地局が第２のレートを取得するための二つの実現方法を提供する。以下、この二つの実現方法のそれぞれについて説明する。
【００６７】
第１の実現方法において、ｅＬＷＡ  ＵＥが、ＷＬＡＮ  ＡＰがｅＬＷＡ  ＵＥに配置した第２のレートを取得し、当該第２のレートをＬＴＥ基地局に送信し、ＬＴＥ基地局はｅＬＷＡ  ＵＥから送信される第２のレートを受信する。
【００６８】
ｅＬＷＡ  ＵＥが既にＷＬＡＮ  ＡＰにアクセスされ、そして、ＷＬＡＮ  ＡＰがｅＬＷＡ  ＵＥに配置した第２のレートを取得した後、ｅＬＷＡ  ＵＥは、第２のレートをＬＴＥ基地局に直接に送信し、ＬＴＥ基地局が第２のレートを受信することができる。
【００６９】
第２の実現方法において、ＬＴＥ基地局は、ＷＬＡＮ  ＡＰから第２のレートを取得する。
【００７０】
ＬＴＥ基地局は、ｅＬＷＡ  ＵＥにアクセスされたＷＬＡＮ  ＡＰからも取得することができ、直接ＷＬＡＮ  ＡＰから当該ＷＬＡＮ  ＡＰがｅＬＷＡ  ＵＥに配置した第２のレートを取得することができる。
【００７１】
ＬＴＥ基地局は、第２のレートを取得した後、ｅＬＷＡ  ＵＥに第２のレートより大きい第１のレートを配置することができる。第１のレートが高すぎる場合、第１のレートから第２のレートを引いた後の第３のレートが大きくなる。第３のレートが従来技術においてＬＴＥ基地局によりＵＥに配置された数百ｂｐｓのレートより大きくなると、ＬＴＥ基地局がｅＬＷＡ  ＵＥに第３のレートでデータを送信する際、多すぎるデータがｅＬＷＡ  ＵＥの処理能力を超えるので、ｅＬＷＡ  ＵＥはデータの一部を失うことになり、パケットロスが発生してしまう。また、第１のレートが低すぎる場合、第１のレートから第２のレートを引いた後の第３のレートが小さくなる。第３のレートが従来技術においてＬＴＥ基地局がＵＥに配置した数百ｂｐｓのレートより小さくなると、ＬＴＥ基地局がｅＬＷＡ  ＵＥに第３のレートでデータを送信する際、少なすぎるデータがｅＬＷＡ  ＵＥの最大処理能力に達していないので、ｅＬＷＡ  ＵＥの処理リソースが十分に活用されていなくなり、データの送信効率が低くなってしまう。
【００７２】
従って、ＬＴＥ基地局は、第２のレート及び第３のレートに基づいて第１のレートを確定することができる。選択的に、ＬＴＥ基地局は、第１のレートを第２のレートと第３のレートとの合計として確定したり、第１のレートと上記合計との差値を予め配置された閾値よりも小さくにしたりすることができるが、本実施例ではこれに対して特に限定しない。
【００７３】
ＬＴＥ基地局は、ｅＬＷＡ  ＵＥに第１のレートを配置した後に、さらに第１のレートをｅＬＷＡ  ＵＥに通知する必要もある。この時、ステップ３０５又はステップ３０７を実行する。
【００７４】
ステップ３０５において、ＬＴＥ基地局は、ｅＬＷＡ  ＵＥにスケジューリング指示を送信する。
【００７５】
ＬＴＥ基地局が現在ｅＬＷＡ  ＵＥにデータを送信する必要がない場合、ｅＬＷＡ  ＵＥが第１の上りレートでデータを送信するようにさせるため、ＬＴＥ基地局は、第１の上りレートを指示するようにスケジューリング指示をｅＬＷＡ  ＵＥに送信する必要もある。
【００７６】
ステップ３０６において、ｅＬＷＡ  ＵＥは、ＬＴＥ基地局から送信されたスケジューリング指示を受信し、スケジューリング指示に基づいて第１のレートにおける第１の上りレートを確定し、基地局に第１の上りレートでデータを送信して、プロセスを終了させる。
【００７７】
ステップ３０７において、ＬＴＥ基地局は、ｅＬＷＡ  ＵＥに第１のレートにおける第１の下りレートでデータを送信する。
【００７８】
ＬＴＥ基地局が現在ｅＬＷＡ  ＵＥにデータを送信する必要がある場合、ＬＴＥ基地局は、データを第１の下りレートで直接にｅＬＷＡ  ＵＥに送信する。即ち、ＬＴＥ基地局及びＷＬＡＮ  ＡＰが同時にＵＥにデータを送信するレートの合計は、第１の下りレートである。
【００７９】
ステップ３０８において、ｅＬＷＡ  ＵＥは、ＬＴＥ基地局から第１のレートにおける第１の下りレートで送信されたデータを受信する。
【００８０】
ここで、ステップ３０１、３０２、３０６および３０８は、ｅＬＷＡ  ＵＥ側の実施例として独自に実現されることができ、ステップ３０３、３０４、３０５および３０７は、ＬＴＥ基地局側の実施例として独自に実現されることができる。
【００８１】
上記のように、本発明に係るレート配置方法によれば、ｅＬＷＡ  ＵＥは、ｅＬＷＡ  ＵＥにサポートされたレート能力を指示するための指示情報を生成し、指示情報をｅＬＷＡ  ＵＥの能力情報に追加し、当該能力情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。第１のレートが第２のレートより低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証された。
【００８２】
ｅＬＷＡ  ＵＥがＬＴＥ基地局に第２のレートを送信したり、ＬＴＥ基地局がＷＬＡＮ  ＡＰから第２のレートを取得したりすることができるので、第２のレートの取得方法を拡張させた。
【００８３】
図４は、一例示的な実施例に係るレート配置装置を示すブロック図である。当該レート配置装置は、ｅＬＷＡ  ＵＥに応用されるものであり、図４に示すように、生成モジュール４１０と報告モジュール４２０と、を備える。
【００８４】
当該生成モジュール４１０は、ｅＬＷＡ  ＵＥにサポートされるレート能力を指示するための指示情報を生成するように構成される。
【００８５】
当該報告モジュール４２０は、生成モジュール４１０により生成された指示情報をＬＴＥ基地局に報告するように構成される。指示情報は、ｅＬＷＡ  ＵＥの第１のレートを指示するためのものであり、第１のレートは、ＷＬＡＮ  ＡＰがｅＬＷＡ  ＵＥに配置した第２のレートより大きい。
【００８６】
上記のように、本発明に係るレート配置装置によれば、ｅＬＷＡ  ＵＥは、ｅＬＷＡ  ＵＥにサポートされるレート能力を指示するための指示情報を生成し、指示情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。第１のレートが第２のレートより低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証された。
【００８７】
図５は、一例示的な実施例に係るレート配置装置を示すブロック図である。当該レート配置装置は、ｅＬＷＡ  ＵＥに応用されるものであり、図５に示すように、生成モジュール５１０と報告モジュール５２０と、を備える。
【００８８】
当該生成モジュール５１０は、ｅＬＷＡ  ＵＥにサポートされるレート能力を指示するための指示情報を生成するように構成される。
【００８９】
当該報告モジュール５２０は、生成モジュール５１０により生成された指示情報をＬＴＥ基地局に報告するように構成される。指示情報は、ｅＬＷＡ  ＵＥの第１のレートを指示するためのものであり、第１のレートは、ＷＬＡＮ  ＡＰがｅＬＷＡ  ＵＥに配置した第２のレートより大きい。
【００９０】
選択的に、報告モジュール５２０は、さらに指示情報をｅＬＷＡ  ＵＥの能力情報に追加し、当該能力情報をＬＴＥ基地局に報告するように構成される。
【００９１】
選択的に、当該レート配置装置は、さらに送信モジュール５３０を備える。
【００９２】
当該送信モジュール５３０は、ＷＬＡＮ  ＡＰがｅＬＷＡ  ＵＥに配置した第２のレートを取得し、当該第２のレートをＬＴＥ基地局に送信するように構成される。
【００９３】
選択的に、指示情報は、ｅｌｗａ−Ｐａｒａｍｅｔｅｒｓパラメータであり、ｅｌｗａ−Ｐａｒａｍｅｔｅｒｓパラメータは、ｅＬＷＡ  ＵＥがＬＴＥ基地局とＷＬＡＮ  ＡＰとに同時に通信するようにサポートすることを指示するためのものである。
【００９４】
選択的に、指示情報は、
ｕｅ−ＣａｔｅｇｏｒｙＵＬパラメータ及びｕｅ−ＣａｔｅｇｏｒｙＵＬパラメータの第１のパラメータ値を含み、ｕｅ−ＣａｔｅｇｏｒｙＵＬパラメータは、ｅＬＷＡ  ＵＥがＬＴＥ基地局とＷＬＡＮ  ＡＰとにデータを同時に送信するようにサポートすることを指示するためのものであり、第１のパラメータ値が第１のレートにおける第１の上りレートに対応し、第１の上りレートが第２のレートにおける第２の上りレートより大きく；或いは、
ｕｅ−ＣａｔｅｇｏｒｙＤＬパラメータ及びｕｅ−ＣａｔｅｇｏｒｙＤＬパラメータの第２のパラメータ値を含み、ｕｅ−ＣａｔｅｇｏｒｙＤＬパラメータは、ｅＬＷＡ  ＵＥがＬＴＥ基地局とＷＬＡＮ  ＡＰとから送信されるデータを同時に受信するようにサポートすることを指示するためのものであり、第２のパラメータ値が第１のレートにおける第１の下りレートに対応し、第１の下りレートが第２のレートにおける第２の下りレートより大きい。
【００９５】
選択的に、当該レート配置装置は、さらに第１の伝送モジュール５４０又は第２の伝送モジュール５５０を備える。
【００９６】
当該第１の伝送モジュール５４０は、ＬＴＥ基地局から送信されるスケジューリング指示を受信し、スケジューリング指示を基づいて第１のレートにおける第１の上りレートを確定し、第１の上りレートでデータを基地局に送信するように構成される。
【００９７】
当該第２の伝送モジュール５５０は、ＬＴＥ基地局から第１のレートにおける第１の下りレートで送信されるデータを受信するように構成される。
【００９８】
上記のように、本発明に係るレート配置装置によれば、ｅＬＷＡ  ＵＥは、ｅＬＷＡ  ＵＥにサポートされるレート能力を指示するための指示情報を生成し、指示情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。第１のレートが第２のレートより低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証された。
【００９９】
ｅＬＷＡ  ＵＥがＬＴＥ基地局に第２のレートを送信したり、ＬＴＥ基地局がＷＬＡＮ  ＡＰから第２のレートを取得したりすることができるので、第２のレートの取得方法を拡張させた。
【０１００】
図６は、一例示的な実施例に係るレート配置装置を示すブロック図である。当該レート配置装置は、ＬＴＥ基地局に応用されるものであり、図６に示すように、第１の受信モジュール６１０と配置モジュール６２０と、を備える。
【０１０１】
当該第１の受信モジュール６１０は、ｅＬＷＡ  ＵＥから報告されたｅＬＷＡ  ＵＥにサポートされるレート能力を指示するための指示情報を受信するように構成される。
【０１０２】
当該配置モジュール６２０は、第１の受信モジュール６１０により受信された指示情報に基づいて、ｅＬＷＡ  ＵＥに第１のレートを配置するように構成される。当該第１のレートは、第１のレートＷＬＡＮ  ＡＰがｅＬＷＡ  ＵＥに配置された第２のレートより大きい。
【０１０３】
上記のように、本発明に係るレート配置装置によれば、ｅＬＷＡ  ＵＥは、ｅＬＷＡ  ＵＥにサポートされるレート能力を指示するための指示情報を生成し、指示情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。第１のレートが第２のレートより低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証された。
【０１０４】
図７は、一例示的な実施例に係るレート配置装置を示すブロック図である。当該レート配置装置は、ＬＴＥ基地局に応用されるものであり、図７に示すように、第１の受信モジュール７１０と配置モジュール７２０と、を備える。
【０１０５】
当該第１の受信モジュール７１０は、ｅＬＷＡ  ＵＥから報告された、ｅＬＷＡ  ＵＥにサポートされるレート能力を指示するための指示情報を受信するように構成される。
【０１０６】
当該配置モジュール７２０は、第１の受信モジュール７１０により受信された指示情報に基づいて、ｅＬＷＡ  ＵＥに第１のレートを配置するように構成される。当該第１のレートは、ＷＬＡＮ  ＡＰがｅＬＷＡ  ＵＥに配置された第２のレートより大きい。
【０１０７】
選択的に、第１の受信モジュール７１０は、さらにｅＬＷＡ  ＵＥから報告された能力情報を受信し、能力情報から指示情報を読み取るように構成される。
【０１０８】
選択的に、当該レート配置装置は、さらに第２の受信モジュール７３０又は取得モジュール７４０を備える。
【０１０９】
当該第２の受信モジュール７３０は、ｅＬＷＡ  ＵＥから送信された第２のレートを受信するように構成される。
【０１１０】
当該取得モジュール７４０は、ＷＬＡＮ  ＡＰから第２のレートを取得するように構成される。
【０１１１】
選択的に、指示情報は、ｅｌｗａ−Ｐａｒａｍｅｔｅｒｓパラメータであり、ｅｌｗａ−Ｐａｒａｍｅｔｅｒｓパラメータは、ｅＬＷＡ  ＵＥがＬＴＥ基地局とＷＬＡＮ  ＡＰとに同時に通信するようにサポートすることを指示するためのものである。
【０１１２】
選択的に、指示情報は、
ｕｅ−ＣａｔｅｇｏｒｙＵＬパラメータ及びｕｅ−ＣａｔｅｇｏｒｙＵＬパラメータの第１のパラメータ値を含み、ｕｅ−ＣａｔｅｇｏｒｙＵＬパラメータは、ｅＬＷＡ  ＵＥがＬＴＥ基地局とＷＬＡＮ  ＡＰとにデータを同時に送信するようにサポートすることを指示するためのものであり、第１のパラメータ値が第１のレートにおける第１の上りレートに対応し、第１の上りレートが第２のレートにおける第２の上りレートより大きく；或いは、
ｕｅ−ＣａｔｅｇｏｒｙＤＬパラメータ及びｕｅ−ＣａｔｅｇｏｒｙＤＬパラメータの第２のパラメータ値を含み、ｕｅ−ＣａｔｅｇｏｒｙＤＬパラメータは、ｅＬＷＡ  ＵＥがＬＴＥ基地局とＷＬＡＮ  ＡＰとから送信されたデータを同時に受信するようにサポートすることを指示するために用いられ、第２のパラメータ値が第１のレートにおける第１の下りレートに対応し、第１の下りレートが第２のレートにおける第２の下りレートより大きい。
【０１１３】
選択的に、当該レート配置装置は、さらに第１の送信モジュール７５０又は第２の送信モジュール７６０を備える。
【０１１４】
当該第１の送信モジュール７５０は、ｅＬＷＡ  ＵＥに前記第１のレートにおける第１の上りレートを指示するためのスケジューリング指示を送信し、前記ｅＬＷＡ  ＵＥが前記ＬＴＥ基地局に前記第１の上りレートでデータを送信するように構成される。
【０１１５】
当該第２の送信モジュール７６０は、前記ｅＬＷＡ  ＵＥに前記第１のレート中の第１の下りレートでデータを送信するように構成される。
【０１１６】
上記のように、本発明に係るレート配置装置によれば、ｅＬＷＡ  ＵＥは、ｅＬＷＡ  ＵＥにサポートされるレート能力を指示するための指示情報を生成し、指示情報をＬＴＥ基地局に報告することによって、ＬＴＥ基地局が指示情報に基づいてｅＬＷＡ  ＵＥに第１のレートを配置することができる。第１のレートがＷＬＡＮ  ＡＰによりｅＬＷＡ  ＵＥに配置された第２のレートより大きいので、ｅＬＷＡ  ＵＥは、第２のレートでＷＬＡＮ  ＡＰと通信可能になり、第１のレートから第２のレートを引いた後の第３のレートでＬＴＥ基地局と通信可能になる。第１のレートが第２のレートより低い場合、ｅＬＷＡ  ＵＥがＬＴＥ基地局とＷＬＡＮ  ＡＰとに同時に通信することができないという問題が解決されることで、ＬＴＥとＷＬＡＮとの間の負荷分散が保証された。
【０１１７】
ｅＬＷＡ  ＵＥがＬＴＥ基地局に第２のレートを送信したり、ＬＴＥ基地局がＷＬＡＮ  ＡＰから第２のレートを取得したりすることができるので、第２のレートの取得方法を拡張させた。
【０１１８】
上記の実施例に係る装置において、それぞれのモジュールが動作を行う具体的な方式については、その方法に係る実施例にて詳細に説明したので、ここでは、その詳細な説明は省略する。
【０１１９】
本発明の一例示的な実施例は、ｅＬＷＡ  ＵＥに用いられるレート配置装置を提供する。当該レート配置装置は、本発明に係るレート配置方法を実現することができ、プロセッサーと、プロセッサーにより実行可能な指令を記憶するためのメモリと、を備える。
【０１２０】
プロセッサーは、
ｅＬＷＡ  ＵＥにサポートされるレート能力を指示するための指示情報を生成し、
ｅＬＷＡ  ＵＥの第１のレートを指示するための指示情報をＬＴＥ基地局に報告するように構成され、第１のレートは、ＷＬＡＮ  ＡＰがｅＬＷＡ  ＵＥに配置した第２のレートより大きい。
【０１２１】
本発明の一例示的な実施例は、ＬＴＥ基地局に用いられるレート配置装置を提供する。当該レート配置装置は、本発明に係るレート配置方法を実現することができ、プロセッサーと、プロセッサーにより実行可能な指令を記憶するためのメモリを備える。
【０１２２】
プロセッサーは、
ｅＬＷＡ  ＵＥから報告された、ｅＬＷＡ  ＵＥにサポートされるレート能力を指示するための指示情報を受信し、
指示情報に基づいて、ｅＬＷＡ  ＵＥにＷＬＡＮ  ＡＰがｅＬＷＡ  ＵＥに配置した第２のレートより大きい第１のレートを配置するように構成される。
【０１２３】
図８は、一つ例示的実施例に係るレート配置するための装置８００を示すブロック図である。例えば、装置８００は、携帯電話、コンピュータ、デジタルブロードキャスト端末、メッセージ送受信機、ゲームコンソール、タブレットデバイス、医療機器、フィットネス機器、ＰＤＡ等のものであってもよい。
【０１２４】
図８を示すように、装置８００は、処理ユニット８０２、メモリ８０４、電源ユニット８０６、マルチメディアユニット８０８、オーディオユニット８１０、入力／出力（Ｉ／Ｏ）インタフェース８１２、センサーユニット８１４、及び通信ユニット８１６からなる群から選ばれる少なくとも１つを備えてもよい。
【０１２５】
処理ユニット８０２は、一般的には、装置８００の全体の操作、例えば、表示、電話呼び出し、データ通信、カメラ操作及び記録操作に関連する操作を制御する。処理ユニット８０２は、上述した方法におけるステップの一部又は全部を実現できるように、命令を実行する少なくとも１つのプロセッサー８１８を備えてもよい。また、処理ユニット８０２は、他のユニットとのインタラクションを便利にさせるように、少なくとも１つのモジュールを備えてもよい。例えば、処理ユニット８０２は、マルチメディアユニット８０８とのインタラクションを便利にさせるように、マルチメディアモジュールを備えてもよい。
【０１２６】
メモリ８０４は、装置８００での操作をサポートするように、各種のデータを記憶するように配置される。これらのデータは、例えば、装置８００で何れのアプリケーション又は方法を操作するための命令、連絡先データ、電話帳データ、メッセージ、画像、ビデオ等を含む。メモリ８０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１２７】
電源ユニット８０６は、装置８００の各種ユニットに電力を供給するためのものであり、電源管理システム、１つ又は複数の電源、及び装置８００のために電力を生成、管理及び分配することに関連する他のユニットを備えてもよい。
【０１２８】
マルチメディアユニット８０８は、装置８００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット８０８は、フロントカメラ及び／又はバックカメラを有してもよい。装置８００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１２９】
オーディオユニット８１０は、オーディオ信号を出力及び／又は入力するように配置される。例えば、オーディオユニット８１０は、マイクロフォン（ＭｉＣ）を有してもよい。装置８００が、例えば、呼び出しモード、記録モード、又は音声認識モードのような操作モードにあるとき、マイクロフォンは、外部のオーディオ信号を受信するように配置される。受信したオーディオ信号は、メモリ８０４にさらに記憶されてもよいし、通信ユニット８１６を介して送信されてもよい。一実施例では、オーディオユニット８１０は、オーディオ信号を出力するためのスピーカをさらに備えてもよい。
【０１３０】
Ｉ／Ｏインタフェース８１２は、処理ユニット８０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３１】
センサーユニット８１４は、装置８００のために各方面の状態を評価する少なくとも１つのセンサーを備えてもよい。例えば、センサーユニット８１４は、装置８００のオン／オフ状態や、ユニットの相対的な位置を検出することができる。例えば、前記ユニットは、装置８００のディスプレイ及びキーパッドである。センサーユニット８１４は、装置８００又は装置８００の１つのユニットの位置の変化、ユーザによる装置８００への接触の有無、装置８００の方向又は加速／減速、装置８００の温度変化などを検出することができる。センサーユニット８１４は、何れの物理的な接触もない場合に付近の物体を検出するように配置される近接センサーを有してもよい。センサーユニット８１４は、イメージングアプリケーションに用いるための光センサー、例えば、ＣＭＯＳ又はＣＣＤ画像センサーを有してもよい。一実施例では、当該センサーユニット８１４は、加速度センサー、ジャイロスコープセンサー、磁気センサー、圧力センサー又は温度センサーをさらに備えてもよい。
【０１３２】
通信ユニット８１６は、装置８００と他の設備の間との無線又は有線通信を便利にさせるように配置される。装置８００は、通信標準に基づく無線ネットワーク、例えば、ＷｉＦｉ、２Ｇ又は３Ｇ、又はそれらの組み合わせにアクセスできる。１つの例示的な実施例では、通信ユニット８１６は、ブロードキャストチャンネルを介して外部のブロードキャスト管理システムからのブロードキャスト信号又はブロードキャストに関する情報を受信する。１つの例示的な実施例では、前記通信ユニット８１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１３３】
例示的な実施例では、装置８００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１３４】
例示的な実施例では、命令を有する非一時的コンピュータ読み取り可能な記録媒体、例えば、命令を有するメモリ８０４をさらに提供する。前記命令は、装置８００のプロセッサー８１８により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１３５】
当業者は、明細書に対する理解、及び明細書に記載された発明に対する実施を介して、本発明の他の実施形態を容易に取得できる。本発明は、本発明に対する任意の変形、用途、又は適応的な変化を含み、このような変形、用途、又は適応的な変化は、本発明の一般的な原理に従い、本発明では発明していない本技術分野の公知知識、又は通常の技術手段を含む。明細書及び実施例は、単に例示的なものであって、本発明の本当の範囲と主旨は、以下の特許請求の範囲によって示される。
【０１３６】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2019533379.tif 000003
【図２】
2019533379.tif 000004
【図３】
2019533379.tif 000005
【図４】
2019533379.tif 000006
【図５】
2019533379.tif 000007
【図６】
2019533379.tif 000008
【図７】
2019533379.tif 000009
【図８】
2019533379.tif 000010
【手続補正書】
【提出日】平成31年4月24日(2019.4.24)
【手続補正２】
【補正対象書類名】明細書
【補正対象項目名】０００１
【補正方法】変更
【補正の内容】
【０００１】
本発明は、通信技術分野に関し、特にレート配置方法、その装置、プログラム及び記録媒体に関する。
【手続補正３】
【補正対象書類名】明細書
【補正対象項目名】０００４
【補正方法】変更
【補正の内容】
【０００４】
本発明は、従来技術における問題を解決するために、レート配置方法、その装置、プログラム及び記録媒体を提供する。
【手続補正４】
【補正対象書類名】明細書
【補正対象項目名】００２８
【補正方法】変更
【補正の内容】
【００２８】
本発明の実施例の第６の態様によると、ロングタームエボリューション（ＬＴＥ）基地局に用いられるレート配置装置を提供し、前記装置は、
プロセッサと、
前記プロセッサにより実行可能な命令を記憶するためのメモリと、を備え、
前記プロセッサは、
ＬＴＥ−無線ローカルエリアネットワーク（ＷＬＡＮ）のアグリゲーションエンハンスド（ｅＬＷＡ）ユーザデバイス（ＵＥ）から報告された、前記ｅＬＷＡ  ＵＥにサポートされるレート能力を指示するための指示情報を受信し、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される。
本発明の実施例の第７の態様によれば、
プロセッサに実行されることにより、第1の態様による前記レート配置方法を実現するプログラムを提供する。
本発明の実施例の第８の態様によれば、
第７の態様による前記プログラムが記録された、コンピュータが読み取り可能な記録媒体を提供する。
本発明の実施例の第９の態様によれば、
プロセッサに実行されることにより、第２の態様による前記レート配置方法を実現するプログラムを提供する。
本発明の実施例の第１０の態様によれば、
第９の態様による前記プログラムが記録された、コンピュータが読み取り可能な記録媒体を提供する。
【手続補正５】
【補正対象書類名】特許請求の範囲
【補正対象項目名】全文
【補正方法】変更
【補正の内容】
【特許請求の範囲】
【請求項１】
ロングタームエボリューション-無線ローカルエリアネットワークのアグリゲーションエンハンスドユーザデバイス（ｅＬＷＡ  ＵＥ）に用いられるレート配置方法であって、
前記ｅＬＷＡ  ＵＥにサポートされるレート能力を指示するための指示情報を生成するステップと、
前記ｅＬＷＡ  ＵＥの第１のレートを指示するための前記指示情報をＬＴＥ基地局に報告し、前記第１のレートが、ＷＬＡＮアクセスポイント（ＡＰ）により前記ｅＬＷＡ  ＵＥに配置された第２のレートより大きいステップ、を含む
ことを特徴とするレート配置方法。
【請求項２】
前記指示情報をＬＴＥ基地局に報告するステップは、
前記指示情報を前記ｅＬＷＡ  ＵＥの能力情報に追加し、前記能力情報を前記ＬＴＥ基地局に報告するステップ、を含む
ことを特徴とする請求項１に記載のレート配置方法。
【請求項３】
前記ＷＬＡＮ  ＡＰが前記ｅＬＷＡ  ＵＥに配置した前記第２のレートを取得し、前記第２のレートを前記ＬＴＥ基地局に送信するステップ、をさらに含む
ことを特徴とする請求項１に記載のレート配置方法。
【請求項４】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信することをサポートすることを指示するためのものである
ことを特徴とする請求項１〜３のいずれか１項に記載のレート配置方法。
【請求項５】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、
前記第２のパラメータ値が前記第１のレートにおける第１の下りレートに対応し、前記第１の下りレートが前記第２のレートにおける第２の下りレートより大きい
ことを特徴とする請求項１〜３のいずれか１項に記載のレート配置方法。
【請求項６】
前記ＬＴＥ基地局から送信されたスケジューリング指示を受信し、前記スケジューリング指示に基づいて前記第１のレートにおける第１の上りレートを確定し、前記第１の上りレートで前記基地局にデータを送信するステップ、或いは、
前記ＬＴＥ基地局から前記第１のレートにおける第１の下りレートで送信されたデータを受信するステップ、をさらに含む
ことを特徴とする請求項１に記載のレート配置方法。
【請求項７】
ロングタームエボリューション（ＬＴＥ）基地局に用いられるレート配置方法であって、
ロングタームエボリューション−無線ローカルエリアネットワークのアグリゲーションエンハンスドユーザデバイス（ｅＬＷＡ  ＵＥ）から報告された、前記ｅＬＷＡ  ＵＥにサポートされるレート能力を指示するための指示情報を受信するステップと、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するステップと、を含む
ことを特徴とするレート配置方法。
【請求項８】
ロングタームエボリューション−無線ローカルエリアネットワークのアグリゲーションエンハンスドユーザデバイス（ｅＬＷＡ  ＵＥ）から報告された指示情報を受信するステップは、
前記ｅＬＷＡ  ＵＥから報告された能力情報を受信し、前記能力情報から前記指示情報を読み取るステップ、を含む
ことを特徴とする請求項７に記載のレート配置方法。
【請求項９】
前記ｅＬＷＡ  ＵＥから送信された前記第２のレートを受信するステップ、或いは、
前記ＷＬＡＮ  ＡＰから前記第２のレートを取得するステップ、をさらに含む
ことを特徴とする請求項７に記載のレート配置方法。
【請求項１０】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである
ことを特徴とする請求項７〜９のいずれか１項に記載のレート配置方法。
【請求項１１】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するものであり、
前記第２のパラメータ値が前記第１のレートにおける第１の下りレートに対応し、前記第１の下りレートが前記第２のレートにおける第２の下りレートより大きい
ことを特徴とする請求項７〜９のいずれか１項に記載のレート配置方法。
【請求項１２】
前記ｅＬＷＡ  ＵＥに前記第１のレートにおける第１の上りレートを指示するためのスケジューリング指示を送信して、前記ｅＬＷＡ  ＵＥが前記ＬＴＥ基地局に前記第１の上りレートでデータを送信するステップ、或いは、
前記ｅＬＷＡ  ＵＥに前記第１のレートにおける第１の下りレートでデータを送信するステップ、をさらに含む
ことを特徴とする請求項７に記載のレート配置方法。
【請求項１３】
ロングタームエボリューション−無線ローカルエリアネットワークのアグリゲーションエンハンスドユーザデバイス（ｅＬＷＡ  ＵＥ）に用いられるレート配置装置であって、
前記ｅＬＷＡ  ＵＥにサポートされるレート能力を指示するための指示情報を生成するように構成された生成モジュールと、
前記生成モジュールにより生成された、前記ｅＬＷＡ  ＵＥの第１のレートを指示するための前記指示情報をＬＴＥ基地局に報告し、ように構成される報告モジュールと、を備え、
前記第１のレートは、ＷＬＡＮアクセスポイント（ＡＰ）が前記ｅＬＷＡ  ＵＥに配置した第２のレートより大きい
ことを特徴とするレート配置装置。
【請求項１４】
前記報告モジュールは、さらに前記指示情報を前記ｅＬＷＡ  ＵＥの能力情報に追加し、前記能力情報を前記ＬＴＥ基地局に報告するように構成される
ことを特徴とする請求項１３に記載のレート配置装置。
【請求項１５】
前記ＷＬＡＮ  ＡＰが前記ｅＬＷＡ  ＵＥに配置した前記第２のレートを取得し、前記第２のレートを前記ＬＴＥ基地局に送信するように構成される送信モジュールと、をさらに備える
ことを特徴とする請求項１３に記載のレート配置装置。
【請求項１６】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである
ことを特徴とする請求項１３〜１５のいずれか１項に記載のレート配置装置。
【請求項１７】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、
前記第２のパラメータ値が前記第１のレートにおける第１の下りレートに対応し、前記第１の下りレートが前記第２のレートにおける第２の下りレートより大きい
ことを特徴とする請求項１３〜１５のいずれか１項に記載のレート配置装置。
【請求項１８】
前記ＬＴＥ基地局から送信されたスケジューリング指示を受信し、前記スケジューリング指示に基づいて前記第１のレートにおける第１の上りレートを確定し、前記基地局に前記第１の上りレートでデータを送信するように構成される第１の伝送モジュール、或いは、
前記ＬＴＥ基地局から前記第１のレートにおける第１の下りレートで送信されたデータを受信するように構成される第２の伝送モジュールと、をさらに備える
ことを特徴とする請求項１３に記載のレート配置装置。
【請求項１９】
ロングタームエボリューション（ＬＴＥ）基地局に用いられるレート配置装置であって、
ロングタームエボリューション−無線ローカルエリアネットワークのアグリゲーションエンハンスドユーザデバイス（ｅＬＷＡ  ＵＥ）から報告された、前記ｅＬＷＡ  ＵＥにサポートされるレート能力を指示するための指示情報を受信するように構成される第１の受信モジュールと、
前記第１の受信モジュールから受信された前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される配置モジュールと、を備える
ことを特徴とするレート配置装置。
【請求項２０】
前記第１の受信モジュールは、さらに前記ｅＬＷＡ  ＵＥから報告された能力情報を受信し、前記能力情報から前記指示情報を読み取るように構成される
ことを特徴とする請求項１９に記載のレート配置装置。
【請求項２１】
前記ｅＬＷＡ  ＵＥから送信された前記第２のレートを受信するように構成される第２の受信モジュール、或いは、
前記ＷＬＡＮ  ＡＰから前記第２のレートを取得するように構成される取得モジュール、をさらに備える
ことを特徴とする請求項１９に記載のレート配置装置。
【請求項２２】
前記指示情報は、ｅｌｗａ−Ｐａｒａｍｅｔｅｒｓパラメータであり、
前記ｅｌｗａ−Ｐａｒａｍｅｔｅｒｓパラメータは、前記ｅＬＷＡ  ＵＥが前記ＬＴＥ基地局と前記ＷＬＡＮ  ＡＰとに同時に通信するようにサポートすることを指示するためのものである
ことを特徴とする請求項１９〜２１のいずれか１項に記載のレート配置装置。
【請求項２３】
前記指示情報は、
ｕｅ−ＣａｔｅｇｏｒｙＵＬパラメータ及び前記ｕｅ−ＣａｔｅｇｏｒｙＵＬパラメータの第１のパラメータ値を含み、
前記ｕｅ−ＣａｔｅｇｏｒｙＵＬパラメータは、前記ｅＬＷＡ  ＵＥが前記ＬＴＥ基地局と前記ＷＬＡＮ  ＡＰとにデータを同時に送信するようにサポートすることを指示するためのものであり、
前記第１のパラメータ値が前記第１のレートにおける第１の上りレートに対応し、前記第１の上りレートが前記第２のレートにおける第２の上りレートより大きく、或いは、
ｕｅ−ＣａｔｅｇｏｒｙＤＬパラメータ及び前記ｕｅ−ＣａｔｅｇｏｒｙＤＬパラメータの第２のパラメータ値を含み、
前記ｕｅ−ＣａｔｅｇｏｒｙＤＬパラメータは、前記ｅＬＷＡ  ＵＥが前記ＬＴＥ基地局と前記ＷＬＡＮ  ＡＰとから送信されたデータを同時に受信するようにサポートすることを指示するためのものであり、
前記第２のパラメータ値が前記第１のレートにおける第１の下りレートに対応し、前記第１の下りレートが前記第２のレートにおける第２の下りレートより大きい
ことを特徴とする請求項１９〜２１のいずれか１項に記載のレート配置装置。
【請求項２４】
前記ｅＬＷＡ  ＵＥに前記第１のレートにおける第１の上りレートを指示するためのスケジューリング指示を送信して、前記ｅＬＷＡ  ＵＥが前記ＬＴＥ基地局に前記第１の上りレートでデータを送信するように構成される第１の送信モジュールと、又は、
前記ｅＬＷＡ  ＵＥに前記第１のレートにおける第１の下りレートでデータを送信するように構成される第２の送信モジュールと、をさらに備える
ことを特徴とする請求項１９に記載のレート配置装置。
【請求項２５】
ロングタームエボリューション−無線ローカルエリアネットワークのアグリゲーションエンハンスドユーザデバイス（ｅＬＷＡ  ＵＥ）に用いられるレート配置装置であって、
プロセッサと、
前記プロセッサにより実行可能な命令を記憶するためのメモリと、を備え、
前記プロセッサは、
前記ｅＬＷＡ  ＵＥにサポートされるレート能力を指示するための指示情報を生成し、
前記ｅＬＷＡ  ＵＥの第１のレートを指示するための前記指示情報をＬＴＥ基地局に報告し、前記第１のレートがＷＬＡＮアクセスポイント（ＡＰ）により前記ｅＬＷＡ  ＵＥに配置された第２のレートより大きいように構成される
ことを特徴とするレート配置装置。
【請求項２６】
ロングタームエボリューション（ＬＴＥ）基地局に用いられる装置であって、
プロセッサと、
前記プロセッサにより実行可能な命令を記憶するためのメモリと、を備え、
前記プロセッサは、
ロングタームエボリューション−無線ローカルエリアネットワークのアグリゲーションエンハンスドユーザデバイス（ｅＬＷＡ  ＵＥ）から報告された、前記ｅＬＷＡ  ＵＥにサポートされるレート能力を指示するための指示情報を受信し、
前記指示情報に基づいて、前記ｅＬＷＡ  ＵＥにＷＬＡＮアクセスポイント（ＡＰ）が前記ｅＬＷＡ  ＵＥに配置した第２のレートより大きい第１のレートを配置するように構成される
ことを特徴とするレート配置装置。
【請求項２７】
プロセッサに実行されることにより、請求項１から請求項６のいずれか１項に記載のレート配置方法を実現することを特徴とするプログラム。
【請求項２８】
請求項２７に記載のプログラムが記録された記録媒体。
【請求項２９】
プロセッサに実行されることにより、請求項７から請求項１２のいずれか１項に記載のレート配置方法を実現することを特徴とするプログラム。
【請求項３０】
請求項２９に記載のプログラムが記録された記録媒体。
【国際調査報告】
2019533379.tif 000011
2019533379.tif 000012
2019533379.tif 000013
2019533379.tif 000014